(57)【要約】【課題】振動を吸収する効果が極めて優れるラケットを提供する。【解決手段】本体１２は、フレームトップ１４及びフレームトップ１４から延伸して成る連接部１６を有する。グリップ１９は、連接部１６の自由端に設置されている。弾性体は、本体１２の少なくとも一部の外縁部に貼り付けられている。被覆層２４は、管状を呈し、弾性体及び本体１２を被覆する被覆層２４であって、且つ本体１２、弾性及び被覆層２４は振動波の伝播速度が異なる。【選択図】　　　図１
0003099286.tif 000002
【実用新案登録請求の範囲】
【請求項１】
フレームトップ及びフレームトップから延伸して成る連接部を有する本体と、
連接部の自由端に設置されているグリップと、
本体の少なくとも一部の外縁部に貼り付けられている弾性体と、
管状を呈し、弾性体及び本体を被覆する被覆層であって、且つ該本体、該弾性体及び被覆層とは振動波の伝播速度が異なる被覆層と、
を備えることを特徴とする振動を吸収するラケット。
【請求項２】
弾性体は管状を呈することを特徴とする請求項１に記載の振動を吸収するラケット。
【請求項３】
弾性体はスラット状を呈することを特徴とする請求項１に記載の振動を吸収するラケット。
【請求項４】
弾性体及び被覆層の間にはクッション部を有し、クッション部と該本体、該弾性体及び被覆層とは振動波の伝播速度が異なることを特徴とする請求項１に記載の振動を吸収するラケット。
【請求項５】
被覆層の内周縁部から延伸してなる間隔層を有し、該間隔層は該弾性体及び該本体の間に位置付けられていることを特徴とする請求項１に記載の振動を吸収するラケット。
【請求項６】
該連接部はＹ形を呈し、グリップを設置するようにフレームトップから延伸して成る二つのアーム、及び二つのアームを連結する所から延伸して成るシャフトを有することを特徴とする請求項１に記載の振動を吸収するラケット。
【請求項７】
該弾性体はフレームトップの外縁に設置されていることを特徴とする請求項６に記載の振動を吸収するラケット。
【請求項８】
該弾性体は二つのアームの間に位置付けられていることを特徴とする請求項７に記載の振動を吸収するラケット。
【請求項９】
該弾性体はそのうちの一つのアーム上に設置されていることを特徴とする請求項６に記載の振動を吸収するラケット。
【請求項１０】
該弾性体はシャフト上に設置されていることを特徴とする請求項６に記載の振動を吸収するラケット。
【請求項１１】
該連接部は真っ直ぐな棒状を呈することを特徴とする請求項１に記載の振動を吸収するラケット。
【請求項１２】
該弾性体はフレームトップと連接部が結合する所あたりに設置されていることを特徴とする請求項１に記載の振動を吸収するラケット。
【請求項１３】
本体には弾性体及び被覆層を設置するように環状溝を有することを特徴とする請求項１に記載の振動を吸収するラケット。
【考案の詳細な説明】
【０００１】
【考案の属する技術分野】
本考案はスポーツ用品に関するものであり、特に振動を吸収する機能が極めて優れるラケットを指す。
【０００２】
【従来の技術】
従来の振動を吸収するラケットの構造は、多種な設計を有し、例えばラケットの外縁部に弾性管体を被り、弾性体管体と振動波との伝播速度の違いにより振動を低下させる機能に達成するものであるが、このような構造により振動を吸収する機能は振動波がガットによりフレームへ伝播した後、作用を発生させるため、ガットによりフレームへ伝播される振動を減少させることが不可能であるし、このような構造は振動を吸収する効果があるからといっても、より一層、振動を吸収する効果を求めるのは業者の常の目標である。
【０００３】
【考案が解決しようとする課題】
本考案の主な目的は、振動を吸収する効果が極めて優れるラケットを提供することにある。
本考案のもう一つの目的は、ガット及びフレームの振動を同時に吸収するラケットを提供することにある。
【０００４】
【課題を解決するための手段】
上述の目的を達成するために、本考案による振動を吸収するラケットは、本体、グリップ、弾性体及び被覆層を備えるものであり、本体はフレームトップ及びフレームトップから延伸して成る連接部を有し、グリップは連接部の自由端に設置され、弾性体は本体の少なくとも一部の外縁部に貼り付けられ、被覆層は管状を呈し、弾性体及び本体を被覆し、且つ該本体、該弾性及び被覆層は振動波の伝播速度が異なっている。したがって、本考案による振動を吸収するラケットは振動を吸収する効果が極めて優れている。
【０００５】
【考案の実施の形態】
以下、本考案の実施例を図面に基づいて説明する。
図１に示すのは本考案の第一実施例による振動を吸収するラケット１０であり、振動を吸収するラケット１０は、テニスのラケットであり、本体１２、グリップ１９を備え、本体１２上の違う部位にそれぞれ弾性体２０及び被覆層２４を有し、又該弾性体２０及び被覆層２４の間に更にクッション２８を有してもよい。
【０００６】
本体１２は、楕円形フレームトップ１４及びＹ形連接部から組成されるものであり、フレームトップ１４はガット１５を貫通させるのに用いられ、連接部１６は二つのアーム１７及びシャフト１８を有し、グリップ１９を設置するように二つのアーム１７がフレームトップ１４から延伸し形成され、シャフト１８が二つのアーム１７が連結する所から延伸して成る。
【０００７】
弾性体２０は本体１２の外縁部に貼り付けられ、被覆層２４は管状を呈し、弾性体２０及び本体１２を被覆し、且つ該本体１２、該弾性２０及び被覆層２４はその弾性と振動波の伝播速度が異なり、該弾性体２０と被覆層２４の形状及び設置位置は多種な変化があり、その詳細な説明について次の通りである。
図２に示すように、該弾性体２０ａは管状を呈し、アーム１７の外縁部に被せ、被覆層２４ａは該弾性体２０ａの外部に被せる。
【０００８】
図３に示すように、該弾性体２０ｂは管状を呈し、シャフト１８の外縁部に被せ、被覆層２４ｂは該弾性体２０ｂの外部に被せる。
図４に示すように、該弾性体２０ｃはスラット状を呈し、フレームトップ１４の外縁部に貼り付けられ、被覆層２４ｃは該弾性体２０ｃとフレームトップの外部を被覆し、該弾性体２０ｃは該被覆層２４と比較してみると、比較的よい弾性と比較的低い振動波の伝播速度を有し、且つガット１５が該フレームトップ１４、該弾性体２０ｃ及び被覆層２４ｃを貫通してから被覆層２４ｃの表面に設置される。
【０００９】
特に注目すべきなのは図５に示すように、該弾性体２０ｄはスラット状を呈し、フレームトップ１４の外縁部、且つ二つのアーム１７の間に位置付けられ、即一般的に「弦状眉部」１４１と称する所を指し、該被覆層２４ｄは該弾性体２０ｄとフレームトップ１４の外部を被覆すると同時に、該被覆層２４ｄの内周縁部から延伸して成る間隔層２４ｄ’を有し、該間隔層２４ｄ’が該弾性体２０ｄ及び該本体１２のフレームトップ１４の間に位置付けられることで、該弾性体２０ｄとフレームトップ１４の間に所定の隙間を保留し、ガット１５が該フレームトップ１４、該弾性体２０ｄ及び被覆層２４ｄを貫通してから被覆層２４ｄの表面に設置される。弦状眉部１４１に該弾性体２０ｄ及び該被覆層２４ｄを設置する利点はラケット１０のスイング重量（ｓｗｉｎｇ　ｗｅｉｇｈｔ）に影響しないことを前提とした上に、振動を吸収し、極めて優れる効果を提供することにある。
【００１０】
図６に示すように、該弾性体２０ｅはスラット状を呈し、該フレームトップ１４の外縁部に貼り付けられ、該弾性体の外縁部にはクッション２８を有し、該被覆層２４ｅは該弾性体２０ｅ、該クッション２８及びフレームトップ１４の外部を被覆し、該クッション２８と該本体１２（或は該フレームトップ１４）、該弾性体２０ｅはその弾性と振動波の伝播速度が異なる。本実施例では、該クッション２８の硬度が該弾性体２０ｅと該被覆層２４ｅより高いため、該クッション２８は比較的低い弾性と比較的高い振動波の伝播速度を有する。該ガット１５を設置する方式について前述に類似するため、説明を省く。
【００１１】
図４から図６における弾性体２０、クッション２８及び被覆層２４はガット１５の張力を直接に受けるため、振動波はガット１５によりフレームトップ１４へ伝播される過程では、そのエネルギーが該弾性体２０、クッション２８及び被覆層２４により吸収され、初めの段階で低下するようになる。続いて、振動波はフレームトップ１４から二つのアーム１７とシャフト１８を経由しグリップ１９へ伝播される過程では、フレームトップ１４に位置付けられる弾性体２０、クッション２８及び被覆層２４（図４から図６に示す）により振動波のエネルギーを吸収することが可能であると同時に、アーム１７及びシャフト１８に位置付けられる弾性体２０及び被覆層２４（図２、図３に示す）により振動波のエネルギーを更に吸収することが可能であるため、グリップ１９へ伝播される振動波を大幅に低下させる。
【００１２】
説明を加えるべきなのは、一つは、本実施例は該弾性体２０、該被覆層２４ないしクッション２８の弾性の差異（即ち振動波の伝播速度の差異）を介して振動を吸収する効果に達成し、即ち、振動波が伝播されてくる時、該弾性体２０、該被覆層２４或は該クッション２８の振動周波数及び振幅がラケット１０の本体１２と違うため、中和の作用が発生することで、グリップ１９へ伝播される振動のエネルギーを低下させることであり、もう一つは、フレームトップ１４に設置される弾性体２０及び被覆層２４はガット１５の張力を直接に受けるため、ガットの振動を吸収し、ラケット１０の本体１２へ伝播される振動波のエネルギーを低下させることが可能であるということである。
【００１３】
実際製造をする際に、該弾性体２０、該被覆層２４及び該クッション２８はプラスチック或はゴム材質、例えば熱可塑性ゴム（ＴＰＲ，ｔｈｅｒｍｏｐｌａｓｔｉｃ　ｒｕｂｂｅｒ）、ポリウレタン（ＰＵ，ｐｏｌｙｕｒｅｔｈａｎｅ）或はポリスチレン（ＰＳ，ｐｏｌｙｓｔｙｒｅｎｅ）を採用し製造するか、各種繊維複合材料、例えば炭素繊維補強樹脂を採用し製造することが可能である。実際にどんな材質を採用するのかにも関わらず、互いの振動波伝播の特性が明らかに違いさえすれば、振動を吸収する効果に達成し、又、該弾性体２０、該被覆層２４及び該クッション２８三者の間の弾性の高さを相互変更すればよい。
【００１４】
図７に示すように、本考案の第二実施例による振動を吸収するラケット３０は、テニスのラケットであり、その弾性体３２及び被覆層３４を設置する位置も多種な変化を有し、フレームトップ３０１の弦状眉部３０２に設置しても、二つのアーム３１或はシャフト３１２上に設置しても可能であり、図８に示すのはアーム３１の位置の断面図を例とするものであり、該アーム３１は管状弾性体３２及び管状被覆層３４を設置するように環状溝３１１を有することで、振動波が環状溝３１１の位置へ伝播され至る時に、アーム３１自体が部分の振動をカットし、そして弾性体３２及び被覆層３４により振動を減少させる作用を加えれば、全体の振動を減少させる効果が倍増され、且つ該被覆層３４の外縁部及びアーム３１の外縁部が斉一であるため、外観がシンプルな利点を有する。
【００１５】
本実施例による精神はバトミントンのラケット４０に適用することも可能であり、図９、図１０に示すように、バトミントンのラケット４０のフレームトップ４２及び連接部４４が結合する所には、スラット状弾性体４６を二つ有し、弾性体４６と、そのあたりのフレームトップ４２及び連接部が被覆層４８により被覆され、又、図１１から図１３に示すように、バトミントンのラケット５０のフレームトップ５２及び連接部５４の境目のあたりを一重の弾性体５６で予め覆い、その後、被覆層５８を設置することで、フレームトップ４２、５２から連接部４４、５４へ伝播される振動を大幅に吸収し、振動を吸収する効果に達成することが可能である。
【００１６】
本考案による精神は各種のラケットに適用することができ、設置の位置及び構造の変化が多種であるため、この技術を熟知する方により推測されやすい変化は本考案の請求範囲に属するべきである。
【図面の簡単な説明】
【図１】本考案の第一実施例による振動を吸収するラケットを示す立体図である。
【図２】図１に示す２−２方向の断面図である。
【図３】図１に示す３−３方向の断面図である。
【図４】図１に示す４−４方向の断面図である。
【図５】図１に示す５−５方向の断面図である。
【図６】図１に示す６−６方向の断面図である。
【図７】本考案の第二実施例による振動を吸収するラケットを示す正面図である。
【図８】図７に示す８−８方向の断面図である。
【図９】本考案の第三実施例による振動を吸収するラケットを示す概略図である。
【図１０】図９に示す１０−１０方向の断面図である。
【図１１】本考案の第四実施例による振動を吸収するラケットを示す概略図である。
【図１２】図１１に示す１２−１２方向の断面図である。
【図１３】図１１に示す１３−１３方向の断面図である。
【符号の説明】
１０　　振動を吸収するラケット
１２　　本体
１４　　フレームトップ
１４１　　弦状眉部
１５　　ガット
１６　　連接部
１７　　アーム
１８　　シャフト
１９　　グリップ
２０　　弾性体
２４　　被覆層
２４ｄ　間隔層
２８　　クッション
３０　　振動を吸収するラケット
３０１　　フレームトップ
３０２　　弦状眉部
３１　　アーム
３１２　　シャフト
３１１　　環状溝
３２　　弾性体
３４　　被覆層
４０　　バドミントンのラケット
４２　　フレームトップ
４４　　連接部
４６　　弾性体
４８　　被覆層
５０　　バドミントンのラケット
５２　　フレームトップ
５４　　連接部
５６　　弾性体
５８　　被覆層
【図１】
0003099286.tif 000003
【図２】
0003099286.tif 000004
【図３】
0003099286.tif 000005
【図４】
0003099286.tif 000006
【図５】
0003099286.tif 000007
【図６】
0003099286.tif 000008
【図７】
0003099286.tif 000009
【図８】
0003099286.tif 000010
【図９】
0003099286.tif 000011
【図１０】
0003099286.tif 000012
【図１１】
0003099286.tif 000013
【図１２】
0003099286.tif 000014
【図１３】
0003099286.tif 000015